(57)【要約】      （修正有）【課題】密閉性に優れ、開栓時に軽快な音が大きく発生する栓のシールライナーを提供する。【解決手段】シールライナー１２０は、容器の入り口を閉鎖する栓の内側に位置し、栓で容器の入り口を閉鎖するに当たって、容器の入り口に挿入される挿入部１３０が形成され、挿入部は栓の中心側に向かって傾くように形成され、挿入部の先端には段差１３１が形成される。さらにシールライナーは、栓の内側面に固定される上板１２１を備え、上板の縁部に沿って、突起１２７を有する加圧部が形成される。【選択図】図５
0003169549.tif 000002
【実用新案登録請求の範囲】
【請求項１】
容器の入り口を閉鎖する栓の内側に位置し、前記栓で前記容器の入り口を閉鎖するに当たって、前記容器の入り口に挿入される挿入部が形成され、前記挿入部は前記栓の中心側に向かって傾くように形成されることを特徴とするシールライナー。
【請求項２】
前記シールライナーは、
前記栓の内側面に固定される上板と、前記上板の縁部に沿って形成され、前記栓で前記容器の入り口を閉鎖した際に前記容器の入り口の先端と接して取り囲む加圧部と、前記加圧部の内側の縁部に沿って形成された前記挿入部とを備えることを特徴とする請求項１に記載のシールライナー。
【請求項３】
前記挿入部の先端には、段差が前記挿入部の円周に沿って形成されることを特徴とする請求項２に記載のシールライナー。
【請求項４】
前記容器の入り口の先端と接して加圧される加圧部には、前記容器の入り口の先端に対応するように凹状に形成されるが、前記凹状に形成された部分の内側には突起が加圧部の円周に沿って形成されることを特徴とする請求項２に記載のシールライナー。
【請求項５】
前記上板は、前記栓の内側面に対応するように湾曲したことを特徴とする請求項２に記載のシールライナー。
【請求項６】
前記栓は、鉄材のキャップ構造を有し、前記栓の縁部に沿って複数の突起が形成され、前記突起は前記容器の入り口の外縁に沿って形成される溝に締結されて、前記栓が前記容器の入り口を閉鎖することを特徴とする請求項１ないし請求項５の何れか１項に記載のシールライナー。
【考案の詳細な説明】
【技術分野】
【０００１】
本考案は、飲料の入った容器の入り口を閉鎖する栓またはキャップに固定されたシールライナーに係り、特に、炭酸の飽和した飲料及び酒類を収容する容器の入り口を閉鎖する栓の密閉性を向上させ、かつ栓の開放時に軽快な音がするように構成した栓のシールライナーに関する。
【背景技術】
【０００２】
炭酸の飽和した代表的な酒類がビールである。ビールは、炭酸が飽和した状態で保管及び流通され、消費者がビールを飲むときに気化する二酸化炭素のためぴりっとさっぱりした、さわやかな味がする。消費者は、ビールのこのような味のためビールを楽しむ。
【０００３】
二酸化炭素の飽和した状態を維持することがビールの味を決定する重要な要素の一つである。ビールの二酸化炭素の気化を防止するために王冠形状の栓（以下、王冠と記す。）が開発され、王冠は瓶に収容されたビールの二酸化炭素の排出を遮断する。
【０００４】
王冠の内側面には、二酸化炭素の排出を防止するように瓶の入り口の先端と接するシールライナーが固定される。
【０００５】
図１は、従来技術による瓶詰めビールの王冠の内側面を示す斜視図であり、図２は、図１に示す王冠を瓶詰めビールに締結した状態の断面図である。
【０００６】
図１に示すように、ビールが収容された瓶１の入り口を閉鎖する王冠１０は、鉄材のキャップ構造を有し、その内側面にはシールライナー２０が固定され、王冠１０の縁部に沿って突部１１が内側に向かって加圧変形している。
【０００７】
このような王冠１０が瓶１に締結されるためには、瓶１の入り口が王冠１０の内側に挿入された状態で、突部１１が瓶１の入り口の外縁に形成された溝３に整合して締結される。このとき、突部１１が瓶１の溝３に締結されて、瓶１の入り口の先端は王冠１０の内側に固定されたシールライナー２０を加圧し、それにより、シールライナー２０は圧力によって圧縮変形する。
【０００８】
シールライナー２０は弾性を有する合成樹脂材からなる。すなわち、王冠１０の突部１１が瓶１の溝３に整合して締結されてシールライナー２０を圧縮することにより、瓶１の内側に気化した二酸化炭素が排出されないように瓶１の入り口を閉鎖する。
【０００９】
図２に示すように、シールライナー２０は、王冠１０の内側面に対応して固定される上板２１と、前記上板２１の縁部に沿って形成された加圧部２３とを備え、王冠１０を瓶１に締結した際に、加圧部２３が瓶１の入り口の先端と接した状態で加圧されて、加圧部２３が平たくなる。
【００１０】
しかし、従来技術によるシールライナー２０は、加圧部２３が瓶１の入り口の先端とのみ接することから、接触面積が小さく、密閉性が低下するという短所がある。
【００１１】
一方、二酸化炭素が気化しつつ瓶の内部の圧力は外部の圧力、すなわち大気圧力より高い。この状態で瓶の栓を開放すれば、内部の圧力と外部の圧力との差によってポンと軽快な音がするが、消費者は瓶詰めビールを開放する際に発生するポンという軽快な音に条件反射的にビールが浮かぶようになる。
【００１２】
しかし、従来技術による王冠１０のシールライナー２０は、加圧部２３が瓶１の入り口の先端とのみ接することから、密閉性が低下し、瓶詰めビールを開放する際に軽快な音の音量が小さいという短所がある。
【考案の概要】
【考案が解決しようとする課題】
【００１３】
本考案は、前述のような従来技術の問題点を解決するために考案されたものであって、密閉性を向上させることにより飲料の味を長期間保存することができ、また栓の開放時に内部の圧力と外部の圧力との差による軽快な音が大きく発生するように構成した栓のシールライナーを提供するところにその目的がある。
【課題を解決するための手段】
【００１４】
前記のような目的を達成するための本考案のシールライナーは、容器の入り口を閉鎖する栓の内側に位置し、前記栓で前記容器の入り口を閉鎖するに当たって、前記容器の入り口に挿入される挿入部が形成され、前記挿入部は前記栓の中心側に向かって傾くように形成されることを技術的特徴とする。
【００１５】
また、本考案の好ましい実施形態によれば、前記シールライナーは、前記栓の内側面に固定される上板と、前記上板の縁部に沿って形成され、前記栓で前記容器の入り口を閉鎖した際に前記容器の入り口の先端と接して取り囲む加圧部と、前記加圧部の内側の縁部に沿って形成された前記挿入部とを備える。
【００１６】
また、本考案の好ましい実施形態によれば、前記挿入部の先端には、段差が前記挿入部の円周に沿って形成される。
【００１７】
また、本考案の好ましい実施形態によれば、前記容器の入り口の先端と接して加圧される加圧部には、前記容器の入り口の先端に対応するように凹状に形成されるが、前記凹状に形成された部分の内側には突起が加圧部の円周に沿って形成される。
【００１８】
また、本考案の好ましい実施形態によれば、前記上板は、前記栓の内側面に対応するように湾曲する。
【００１９】
また、本考案の好ましい実施形態によれば、前記栓は、鉄材のキャップ構造を有し、前記栓の縁部に沿って複数の突起が形成され、前記突起は前記容器の入り口の外縁に沿って形成される溝に締結されて、前記栓が前記容器の入り口を閉鎖する。
【考案の効果】
【００２０】
前述のように、本考案のシールライナーは、密閉性に優れているため、瓶の内部の圧力と外部の圧力との差が大きく発生して、栓の開放時に発生する軽快な音の音量が大きい。このように、瓶を閉鎖していた栓の開放時に軽快な音が発生し、音の音量が大きいため、従来の瓶に入った飲料を飲んでみた消費者の場合、その音によって条件反射的に飲料の味が浮かぶようになる。
【００２１】
また、本考案のシールライナーは、挿入部が瓶の入り口に挿入されることにより、瓶の内部の空間、すなわち気化した二酸化炭素が満たされる空間が小さくなり、瓶の内部の圧力は大きくなる。したがって、栓の開放時に大きく、かつ軽快な音が発生する。
【００２２】
さらに、本考案のシールライナーは、密閉性に優れており、飲料の味と香を長期間保存することができる。
【図面の簡単な説明】
【００２３】
【図１】従来技術による瓶詰めビールの王冠の内側面を示す斜視図である。
【図２】図１に示す王冠の断面図である。
【図３】本考案の一実施形態による瓶詰めビールの王冠の内側面を示す斜視図である。
【図４】図３に示す王冠の断面図である。
【図５】図３に示す王冠を瓶に締結した状態の断面図である。
【考案を実施するための形態】
【００２４】
以下、添付した図面を参照して本考案によるシールライナーの好ましい実施形態を詳細に説明する。
【００２５】
図３は本考案の一実施形態による瓶詰めビールの王冠の内側面を示す斜視図であり、図４は図３に示す王冠の断面図であり、図５は図３に示す王冠を瓶に締結した状態の断面図である。
【００２６】
図３及び図４に示すように、王冠１００の内側面にはシールライナー１２０が取り付けられる。
【００２７】
シールライナー１２０は、王冠１００の内側面に対応して固定される上板１２１と、前記上板１２１の縁部に沿って凸状に形成されて、瓶１の入り口の先端と接する加圧部１２３と、前記加圧部１２３の内側の縁部に形成され、瓶１の入り口に挿入されて瓶１の内側面に密着する挿入部１３０とを備える。
【００２８】
以下では、このように構成された栓のシールライナー１２０について具体的に説明する。
【００２９】
図４及び図５に示すように、シールライナー１２０の上板１２１は円板の構造を有し、上板１２１は王冠１００の内側面に密着固定されるように、王冠１００の湾曲した内側面に対応するように上向きに凸状に湾曲している。
【００３０】
上向きに凸状に湾曲した上板１２１の縁部には、下向きに加圧部１２３が形成される。加圧部１２３は上板１２１より厚く、王冠１００が瓶１に締結された際に瓶１の入り口の先端と接し、王冠１００の突部１１０が瓶１の溝３に締結されつつ、瓶１は加圧部１２３を加圧し、加圧部１２３は瓶１の入り口の先端を取り囲む形に変形する。
【００３１】
このように、加圧部１２３が瓶１の入り口の先端と接して変形するに当たって、瓶１との密着性を向上させるように、加圧部１２３の底面は凹状に形成される。
【００３２】
加圧部１２３の底面の形状は、図３及び図４に示すように、加圧部１２３の外側から内側に向かって傾いた傾斜面１２５が形成され、傾斜面１２５の内側には突起１２７が形成される。ここで、王冠１００を瓶１の入り口に位置させれば、加圧部１２３の傾斜面１２５及び突起１２７が瓶１の入り口の先端と接する。この状態で王冠１００が瓶１の溝３に締結されれば、図５に示すように、加圧部１２３の突起１２７及び傾斜面１２５が瓶１の入り口の先端を取り囲むように弾性変形しつつ密着する。
【００３３】
そして、加圧部１２３の内側の縁部に沿って挿入部１３０が形成される。挿入部１３０は、王冠１００を瓶１の入り口に締結した際に瓶１の入り口に挿入されて瓶１の内側面と接することにより密閉性を向上させる。
【００３４】
図５に示すように、挿入部１３０が瓶１の入り口に挿入されれば、挿入部１３０の外径と瓶１の入り口の内径との差によって挿入部１３０が瓶１の内側面に密着して密閉性を向上させる。この状態で二酸化炭素が気化すれば、瓶１の内部の圧力は上昇し、二酸化炭素は挿入部１３０の内側を加圧して、挿入部１３０を瓶１の内側面にさらに密着させることにより瓶１の密閉性を向上させる。
【００３５】
また、挿入部１３０は、瓶１の入り口に円滑に挿入されるように王冠１００の中心側に向かって傾くように形成され、密閉性をさらに向上させるように加圧部１２３の下端、すなわち瓶１の入り口に挿入される先端が、加圧部１２３の上端、すなわち上板１２１で連結された部分より薄く形成される。このように、加圧部１２３の下端が薄く形成されることにより、シールライナー１２０の物量を節減させるだけでなく、内部の圧力によって加圧部１２３の下端が瓶１の内側面に均一に密着することにより密閉性を向上させる。
【００３６】
このように、前記加圧部１２３の下端を薄くするために、加圧部１２３の下端の内周面に沿って段差１３１を形成する。加圧部１２３の下端の厚さは段差１３１の幅と同じ程度に薄くなる。
【００３７】
以下では、このように構成されたシールライナー１２０の取り付けられた王冠１００で瓶１の入り口を密閉締結する過程について説明する。
【００３８】
瓶１の入り口の先端は、加圧部１２３の突起１２７及び傾斜面１２５と接し、王冠１００と瓶１との締結によって、加圧部１２３は瓶１によって加圧変形しつつ瓶１の入り口の先端を取り囲む。また、挿入部１３０は、瓶１の入り口に挿入されて、挿入部１３０の外側面が瓶１の入り口の内側面と接しつつ広い接触面積を形成する。特に、挿入部１３０は、内側に向かって傾くように形成されて、挿入部１３０が瓶１の入り口に円滑に挿入され、挿入部１３０の下端は段差１３１によって薄くなり、瓶１の内部の圧力によって挿入部１３０の下端が瓶１の内側面に密着する。
【００３９】
一方、挿入部１３０が瓶１の内側に挿入された体積だけ瓶１の内部の空間は小さくなる。すなわち、瓶１の内部の空間は、前記挿入部が形成されていないシールライナーによって閉鎖された瓶の内部の空間より小さい。このように、内部の空間の異なる瓶の中で同量の二酸化炭素が発生する場合、内部の空間が小さいほど内部の圧力は上昇する。
【００４０】
したがって、瓶１の入り口に挿入部１３０が挿入された状態の内部の圧力は、挿入部１３０が形成されていない従来の栓で閉鎖された瓶の内部の圧力より大きい。また、内部の圧力が大きいことから、王冠１００を開放する際に、ポンと開放される音響、すなわち、‘ＰＯＰ’効果が高い。また、密閉性に優れており、内部で気化した二酸化炭素の排出を遮断することによりビールの味と香を長期間保存することができる。
【符号の説明】
【００４１】
１  瓶、３  溝、１００  王冠、１１０  突部、１２０  シールライナー、１２１  上板、１２３  加圧部、１２５  傾斜面、１２７  突起、１３０  挿入部、１３１  段差。
【図１】
0003169549.tif 000003
【図２】
0003169549.tif 000004
【図３】
0003169549.tif 000005
【図４】
0003169549.tif 000006
【図５】
0003169549.tif 000007